(57)【要約】      （修正有）【課題】目盛画像に沿って表示されるグラデーション画像の表示制御にあたり、処理負荷を低減することができる車両用表示装置を提供する。【解決手段】車両用表示装置においてＣＰＵは、主目盛及び補助目盛の画像のデータに基づいて、１つの主目盛の画像に対して複数個の補助目盛の画像からなる目盛セット画像を複数配列したうえで数値画像１２ｈａ〜１２ｈｃを併記した全体目盛画像１２ｂを生成し、指針画像に対して全体目盛画像１２ｂをスクロールさせると共にスクロール後における全体目盛画像１２ｂのうち予め設定されたエリアＥ外となる各目盛の画像１２ｅ’，１２ｆ’をスクロール反対側のエリアＥ内の空き領域Ｏに移動させ、且つ、空き領域Ｏに移動させられた主目盛の画像については全体目盛画像１２ｂの目盛セット画像の数に応じた数だけスクロール方向に応じて加算又は減算された数値画像１２ｈａ〜１２ｈｃを併記する。【選択図】図６
2016080386.tif 000002
【特許請求の範囲】
【請求項１】
指針画像の表示位置を固定とし、複数の目盛の画像を前記指針画像に対して所定方向にスクロールするように表示させる目盛移動型計器を液晶ディスプレイに表示する車両用表示装置であって、
前記複数の目盛の並びにおいて複数個間隔で１つずつ配置され物理量を示す数値画像が併記される主目盛の画像、及び、前記主目盛の画像間において均等間隔で配置される補助目盛の画像のデータを記憶した記憶手段と、
前記記憶手段により記憶される主目盛及び補助目盛の画像データに基づいて、１つの主目盛の画像に対して複数個の補助目盛の画像からなる目盛セット画像を複数配列したうえで前記数値画像を併記した全体目盛画像を生成し、前記指針画像に対して前記全体目盛画像をスクロールさせると共にスクロール後における全体目盛画像のうち予め設定されたエリア外となる各目盛の画像をスクロール反対側の前記エリア内の空き領域に移動させ、且つ、前記空き領域に移動させられた主目盛の画像については前記全体目盛画像の目盛セット画像数に応じた数だけスクロール方向に応じて加算又は減算された数値画像を併記する表示制御手段と、
を備えることを特徴とする車両用表示装置。
【請求項２】
前記記憶手段は、前記目盛移動型計器を区画する外枠を示す外枠画像と、前記外枠外の画像をマスクするマスク画像とを記憶し、
前記エリアの前記所定方向の端部は、前記外枠外に位置し、
前記表示制御手段は、前記全体目盛画像に対して前記記憶手段により記憶される前記外枠画像及び前記マスク画像を重ね合わせる
ことを特徴とする請求項１に記載の車両用表示装置。
【請求項３】
前記記憶手段は、前記外枠内において前記所定方向の端部側に向かうに従って不透明度が高くなるグラデーションマスク画像を記憶し、
前記表示制御手段は、前記全体目盛画像に対して前記記憶手段により記憶される前記グラデーションマスク画像を重ね合わせる
ことを特徴とする請求項２に記載の車両用表示装置。
【発明の詳細な説明】
【技術分野】
【０００１】
本発明は、車両に搭載され、液晶ディスプレイへの画像表示により車両搭乗員に対して情報を提供する車両用表示装置に関する。
【背景技術】
【０００２】
従来、車両に搭載され、車両搭乗員に対して情報を提供する車両用表示装置が提案されている。この車両用表示装置には、例えば液晶ディスプレイに速度計やエンジン回転数計の背景画像（目盛や計器枠の画像）を表示すると共に、それに指針画像を表示して車速やエンジン回転数の情報を車両搭乗員に提供するものもある（例えば特許文献１参照）。
【先行技術文献】
【特許文献】
【０００３】
【特許文献１】特開２０１２−２６２９号公報（図２参照）
【発明の概要】
【発明が解決しようとする課題】
【０００４】
ここで、特許文献１に記載の車両用表示装置は、目盛画像を表示すると共に指針画像を液晶ディスプレイの縦方向に移動させることで、現在のエンジン回転数等を表示するようにしている。しかし、特許文献１に記載の車両用表示装置では、計器内に最小値から最大値までの全ての目盛画像を表示させているため、目視では大まかな値しかわからなくなってしまう。
【０００５】
そこで、本件出願人は、航空機のように指針側が固定となり目盛側が移動する目盛移動型計器を車両用計器として液晶ディスプレイに表示することを検討している。図１３は、目盛移動型計器の概念図である。図１３に示すように、目盛移動型計器は、横向きの略凹形状をなす外枠画像１１２ａと、エンジン回転数等を示す目盛画像１１２ｂと、横方向に伸びて目盛画像１１２ｂを指し示す指針画像１１２ｃとから構成されている。また、図１３に示すように、目盛画像１１２ｂは、エンジン回転数等の最小値から最大値まで至る大画像となっており、車両用表示装置は、外枠画像１１２ａ内に大画像となる目盛画像１１２ｂの一部を表示させるようにしている。また、車両用表示装置は、指針画像１１２ｃによって指し示すエンジン回転数等が変化した場合、指針画像１１２ｃを移動させることなく、大画像となる目盛画像１１２ｂをスクロールさせることで、変化後のエンジン回転数等を指し示すようにしている。
【０００６】
しかし、図１３に示すような大画像となる目盛画像１１２ｂを記憶し、これに対してスクロール処理を行う場合、その処理負荷は決して小さくない。
【０００７】
本発明は、このような問題を解決するものであり、その目的とするところは、目盛移動型計器を表示するにあたり、その処理負荷を軽減することができる車両用表示装置を提供することにある。
【課題を解決するための手段】
【０００８】
本発明に係る車両用表示装置は、指針画像の表示位置を固定とし、複数の目盛の画像を前記指針画像に対して所定方向にスクロールするように表示させる目盛移動型計器を液晶ディスプレイに表示する車両用表示装置であって、前記複数の目盛の並びにおいて複数個間隔で１つずつ配置され物理量を示す数値画像が併記される主目盛の画像、及び、前記主目盛の画像間において均等間隔で配置される補助目盛の画像のデータを記憶した記憶手段と、前記記憶手段により記憶される主目盛及び補助目盛の画像データに基づいて、１つの主目盛の画像に対して複数個の補助目盛の画像からなる目盛セット画像を複数配列したうえで前記数値画像を併記した全体目盛画像を生成し、前記指針画像に対して前記全体目盛画像をスクロールさせると共にスクロール後における全体目盛画像のうち予め設定されたエリア外となる各目盛の画像をスクロール反対側の前記エリア内の空き領域に移動させ、且つ、前記空き領域に移動させられた主目盛の画像については前記全体目盛画像の目盛セット画像数に応じた数だけスクロール方向に応じて加算又は減算された数値画像を併記する表示制御手段と、を備えることを特徴とする。
【０００９】
本発明に係る車両用表示装置によれば、１つの主目盛の画像に対して複数個の補助目盛の画像からなる目盛セット画像を複数配列したうえで数値画像を併記した全体目盛画像を生成し、指針画像に対して全体目盛画像をスクロールさせる。このため、最小値から最大値まで至る大画像の目盛画像に対してスクロール処理を行う必要が無く、目盛セット画像を複数配列した全体目盛画像をスクロールさせればよいため、処理負荷を軽減することができる。
【００１０】
さらに、スクロール後における全体目盛画像のうち予め設定されたエリア外となる各目盛の画像をスクロール反対側のエリア内の空き領域に移動させる。このため、全体目盛画像をスクロールさせることによってエリアから外れてしまった目盛については、外れた側と反対側となる空き領域に移動させられることとなり、目盛を途切れることなく表示させることができる。
【００１１】
しかも、空き領域に移動させられた主目盛については全体目盛画像の目盛セット画像数に応じた数だけスクロール方向に応じて加算又は減算された数値画像を併記する。このため、空き領域に移動させられ主目盛の画像に併記される数値画像が示す数値についても、誤った値とならない。
【００１２】
以上のように、目盛移動型計器の画像表示において目盛の途切れや数値画像の誤りなく、しかも大画像となる目盛画像をスクロール処理させないため、目盛移動型計器を表示するにあたり、その処理負荷を軽減することができる。
【００１３】
また、本発明に係る車両用表示装置において、前記記憶手段は、前記目盛移動型計器を区画する外枠を示す外枠画像と、前記外枠外の画像をマスクするマスク画像とを記憶し、前記エリアの前記所定方向の端部は、前記外枠外に位置し、前記表示制御手段は、前記全体目盛画像に対して前記記憶手段により記憶される前記外枠画像及び前記マスク画像を重ね合わせることが好ましい。
【００１４】
この車両用表示装置によれば、目盛移動型計器を区画する外枠外の画像をマスクするマスク画像を記憶しているため、目盛移動型計器の外枠外に目盛画像や数値画像が表示されることがない。しかも、エリアの所定方向の端部が外枠外に位置するため、空き領域へ移動させられた目盛画像や数値画像、すなわちエリアの所定方向の端部付近に移動させられた目盛画像や数値画像は、まずはマスク画像にマスクされた状態となっており、その後外枠内に移動することにより滑らかに外枠内に表示されることとなる。従って、目盛画像及び数値画像の外枠内への出現を滑らかに行うことができる。
【００１５】
また、本発明に係る車両用表示装置において、前記記憶手段は、前記外枠内において前記所定方向の端部側に向かうに従って不透明度が高くなるグラデーションマスク画像を記憶し、前記表示制御手段は、前記全体目盛画像に対して前記記憶手段により記憶される前記グラデーションマスク画像を重ね合わせることが好ましい。
【００１６】
この車両用表示装置によれば、外枠内において所定方向の端部側に向かうに従って不透明度が高くなるグラデーションマスク画像を記憶し、全体目盛画像に対してグラデーションマスク画像を重ね合わせる。このため、外枠内に表示される目盛画像や数値画像のうち、外枠内の端部側の目盛画像や数値画像については、薄く表示されることとなる。これにより、目盛画像や数値画像が外枠によって途切れるように表示され難くなり、一層違和感が少ない表示を行うことができる。
【発明の効果】
【００１７】
本発明の車両用表示装置によれば、目盛移動型計器を表示するにあたり、その処理負荷を軽減することができる。
【図面の簡単な説明】
【００１８】
【図１】本発明の第１実施形態に係る車両用表示装置を示すブロック図である。
【図２】図１に示した車両用表示装置による表示例を示す図である。
【図３】第２の表示領域に表示されるエンジン回転数計の詳細を示す第１の概念図である。
【図４】第２の表示領域に表示されるエンジン回転数計の詳細を示す第２の概念図である。
【図５】第２の表示領域に表示されるエンジン回転数計の詳細を示す第３の概念図である。
【図６】本実施形態に係る目盛移動型計器の目盛移動方法の概略を示す図であり、（ａ）第１の状態を示し、（ｂ）は第２の状態を示し、（ｃ）は第３の状態を示している。
【図７】本実施形態に係る数値画像の変更の様子を示すグラフである。
【図８】本実施形態に係る目盛移動型計器の表示方法を示すフローチャートである。
【図９】第２実施形態において第２の表示領域に表示されるエンジン回転数計の詳細を示す概念図である。
【図１０】比較例に係るエンジン回転数計の一部を示す拡大図である。
【図１１】第２実施形態に係るエンジン回転数計を示す正面図である。
【図１２】第２実施形態に係るエンジン回転数計の一部を示す拡大図である。
【図１３】目盛移動型計器の概念図である。
【発明を実施するための形態】
【００１９】
以下、本発明を好適な一実施形態に沿って説明するが、本発明は以下に示す実施形態に限られるものではなく、本発明の趣旨を逸脱しない範囲において適宜変更可能である。
【００２０】
図１は、本発明の第１実施形態に係る車両用表示装置を示すブロック図である。図１に示す車両用表示装置は、車両に搭載され、ＴＦＴ−ＬＣＤ（Thin Film Transistor Liquid Crystal Display：液晶ディスプレイの一例）を表示器８として備えたいわゆるグラフィックメータであって、表示器８への画像表示により車両搭乗員に対して情報を提供するものである。
【００２１】
表示器８は、カラー画像の表示が可能な表示手段であり、本実施形態では車両の走行速度を示す速度計、エンジン回転数を示すエンジン回転数計、及び、燃料残量を示す燃料計等の計器を画像表示するものである。
【００２２】
このような車両用表示装置は、表示器８に加えて、ＣＰＵ（Central Processing Unit：表示制御手段）１と、Ｉ／Ｏ２，３と、ＣＰＵ電源４と、ＥＥＰＲＯＭ（Electrically Erasable Programmable Read Only Memory）５と、グラフィックコントローラ６と、ＬＣＤ（Liquid Crystal Display）電源７と、メモリ（記憶手段）９とを備えている。
【００２３】
ＣＰＵ１は、Ｉ／Ｏ２を介して、車両側のイグニッションスイッチの状態を表す信号（ＩＧＮ＋）を入力すると共に、Ｉ／Ｏ３を介して車両状態信号を、ＣＡＮ（Controller Area Network）を通信プロトコルとして用いたＣＡＮ通信部にて受信する。なお、車両状態信号とは、例えば車速やエンジン回転数など、表示器８にて表示させる物理量を示す情報を含んだ信号である。
【００２４】
また、ＣＰＵ１は、受信した車両状態信号に基づく表示を行うべく、グラフィックコントローラ６に対して命令コードを送信する。グラフィックコントローラ６は、この命令コードに従って描画処理を行うこととなる。
【００２５】
ＣＰＵ電源４は、車両側のプラス側電源ライン（＋Ｂ）から供給される直流電力を入力してＣＰＵ１の動作に必要な直流電圧（Ｖｃｃ）を生成する。また、ＣＰＵ電源４は、必要に応じてリセット信号を生成したり、ＣＰＵ１から出力されるスリープ信号に従って電力供給を抑制するための動作を行ったりする。ＥＥＰＲＯＭ５及びメモリ９は、ＣＰＵ１が実行するプログラムの内容、予め用意された固定データ、及び描画に必要な画像データ等を保持している。
【００２６】
グラフィックコントローラ６は、ＣＰＵ１からの命令コードに従った描画処理を行うものであり、メモリ６１を備えている。メモリ６１は、描画に必要なデータを記憶したものであって、速度計、エンジン回転数計及び燃料計等の表示に必要となる画像データを記憶している。画像データは、例えばイグニッションスイッチのオン時にメモリ９から読み込まれて、メモリ６１に記憶される。
【００２７】
このようなグラフィックコントローラ６は、描画処理にあたり、ＲＧＢ各画像データを出力すると共に、水平同期信号及び垂直同期信号を表示器８のＸドライバ８１及びＹドライバ８２に対して出力することでこれらを制御し、表示器８の本体部８３に速度計、エンジン回転数計及び燃料計等の画像を表示させる。
【００２８】
ＬＣＤ電源７は、車両側のプラス側電源ライン（＋Ｂ）から供給される直流電力を入力して、表示器８の表示に必要とされる所定の直流電力を生成し、表示器８に供給するものである。
【００２９】
図２は、図１に示した車両用表示装置による表示例を示す図である。ＣＰＵ１は、命令コードによって、画像の表示位置や、どの画像を表示させるかをグラフィックコントローラ６に対して指示することにより、図２に示すような画像を表示器８に表示させることができる。
【００３０】
具体的に表示器８は、第１の表示領域１１に速度計を表示させ、第２の表示領域１２にエンジン回転数計を表示させ、第３の表示領域１３に燃料計を表示させる。なお、本実施形態では第２の表示領域１２に表示されるエンジン回転数計が目盛移動型計器となっている。
【００３１】
第１の表示領域１１には、円形状となる速度計の外枠を示す外枠画像１１ａと、外枠画像１１ａの内側において速度値を示す目盛画像１１ｂと、円形状となる速度計の中心位置を回転中心として回転することにより目盛画像１１ｂを指し示す指針画像１１ｃとが表示されている。さらに、第１の表示領域１１には、オドトリップメータに相当する画像１１ｄについても表示されている。
【００３２】
また、第２の表示領域１２には、横向きの略凹形状をなし目盛移動型計器を区画する外枠を示す外枠画像１２ａと、エンジン回転数を示す全体目盛画像１２ｂ（図２においては、一部のみが表示されている）と、表示器８の横方向（Ｘ方向）に伸びて全体目盛画像１２ｂを指し示す指針画像１２ｃとが表示されている。なお、全体目盛画像１２ｂは、画像縦方向（所定方向）にスクロールさせられ、指針画像１２ｃは、固定の位置に表示される。
【００３３】
第３の表示領域１３には、第１の表示領域１１に表示される速度計を挟んで、第２の表示領域１２に表示されるエンジン回転数計と対称となるように燃料計が表示されている。詳細に第３の表示領域１３には、外枠画像１２ａと逆方向に凹部が向く横向きの略凹形状をなす外枠画像１３ａと、外枠画像１３ａの内側において燃料残量を示す目盛画像１３ｂと、表示器８の横方向（Ｘ方向）に伸びると共に縦方向（Ｙ方向）に移動することにより目盛画像１３ｂを指し示す指針画像１３ｃとが表示されている。
【００３４】
図３〜図５は、第２の表示領域１２に表示されるエンジン回転数計の詳細を示す概念図である。まず、図３及び図４に示すように、全体目盛画像１２ｂは、予め設定されたエリアＥ内に収まる画像であって、複数の目盛の画像１２ｅ，１２ｆから構成されている。複数の目盛の画像１２ｅ，１２ｆは、複数の主目盛の画像１２ｅと、複数の補助目盛の画像１２ｆとから構成されている。主目盛の画像１２ｅは、複数の目盛の並びにおいて複数個間隔で１つずつ配置されエンジン回転数（物理量）を示す数値画像１２ｈａ〜１２ｈｃが併記される画像である。補助目盛の画像１２ｆは、複数個間隔で１つ設けられる主目盛の画像１２ｅ間において均等間隔で配置される画像である。
【００３５】
より詳細に説明すると、全体目盛画像１２ｂは、目盛セット画像１２ｇを複数配列して構成されている。目盛セット画像１２ｇは、１つの主目盛の画像１２ｅに対して複数個（４個）の補助目盛の画像１２ｆからなる画像群であり、複数の目盛の画像１２ｅ，１２ｆは画像縦方向に並んで配置されている。ＣＰＵ１は、このような目盛セット画像１２ｇを複数個（３つ）画像縦方向に配列した全体目盛画像１２ｂを生成する旨の命令コードをグラフィックコントローラ６に送信することとなる。
【００３６】
なお、主目盛の画像１２ｅ及び補助目盛の画像１２ｆのデータはメモリ９に記憶されており、例えばイグニッションスイッチのオン時に読み込まれてグラフィックコントローラ６のメモリ６１に記憶される。
【００３７】
さらに、本実施形態においてメモリ９は、図５に示すように、外枠画像１２ａが示す外枠外をマスクするマスク画像Ｍを記憶している。なお、本実施形態においてマスク画像Ｍは、外枠画像１２ａ、指針画像１２ｃ、及び文字画像（×１０００ｒｐｍの部分）と一体となっている。また、このマスク画像Ｍについても例えばイグニッションスイッチのオン時に読み込まれてグラフィックコントローラ６のメモリ６１に記憶される。
【００３８】
ＣＰＵ１は、数値画像１２ｈａ〜１２ｈｃが併記される全体目盛画像１２ｂに対して上記マスク画像Ｍを重ね合わせる命令コードをグラフィックコントローラ６に送信する。特に、ＣＰＵ１は、図４に示すようにエリアＥの縦方向（所定方向）の端部を外枠画像１２ａが示す外枠外に位置させて、全体目盛画像１２ｂの縦方向端部がマスクされるような命令コードをグラフィックコントローラ６に送信する。
【００３９】
以上のように、目盛移動型計器としてのエンジン回転数計が表示器８に表示される。図６は、本実施形態に係る目盛移動型計器の目盛移動方法の概略を示す図であり、（ａ）第１の状態を示し、（ｂ）は第２の状態を示し、（ｃ）は第３の状態を示している。
【００４０】
まず、図６（ａ）に示すように、全体目盛画像１２ｂがエリアＥ内に収まっている。この状態においてＣＰＵ１は、エンジン回転数の信号を入力したとする。この信号が示すエンジン回転数が、前回信号が示すエンジン回転数よりも高いものであった場合、ＣＰＵ１は、図６（ｂ）に示すように全体目盛画像１２ｂを所定方向（画像下方向）にスクロールさせる命令コードを送信する。
【００４１】
ここで、図６（ｂ）に示すように、スクロールの移動量によっては、複数の目盛の画像１２ｅ，１２ｆのうちの一部の目盛の画像１２ｅ’，１２ｆ’がエリアＥの外側に出てしまう。このため、ＣＰＵ１は、スクロールの命令コードに加えて、エリアＥ外に位置してしまう目盛の画像１２ｅ’，１２ｆ’を移動させる命令コードについても送信する。このとき、移動対象となる目盛の画像１２ｅ’，１２ｆ’は、スクロール反対側（すなわち画像上側）のエリアＥ内の空き領域Ｏに移動させられる。
【００４２】
これにより、全体目盛画像１２ｂは図６（ｃ）に示すようになる。ここで、空き領域Ｏに移動させられた主目盛の画像１２ｅについては併記される数値画像１２ｈｃの値が変更される。この際、ＣＰＵ１は、全体目盛画像１２ｂの目盛セット画像１２ｇの数に応じた数だけ、加算された値の数値画像１２ｈｃを主目盛の画像１２ｅ’に併記する命令コードを送信する。
【００４３】
ここで、目盛セット画像１２ｇの数に応じた数とは、目盛セット画像１２ｇの数そのものでもよいし、目盛セット画像１２ｇの数に或る定数を乗算又は除算した数であってもよい。図６に示すエンジン回転数計は、マスク画像Ｍ内に文字画像（×１０００ｒｐｍ）が含まれているため、目盛セット画像１２ｇの数そのもの（すなわち３）が加算される。従って、「３」という値を有していた数値画像１２ｈｃは、移動後「６」という値に変更される。一方、目盛移動型計器として文字画像中の「×１０００」が表示されない場合には、加算前の数値画像１２ｈｃの値を「３０００」としておき、目盛セット画像１２ｇの数（すなわち３）に１０００を乗算した数（すなわち３０００）を加算するようにしてもよい。
【００４４】
また、図６に示す例では、エンジン回転数が高まったため、画像下方向に全体目盛画像１２ｂをスクロールさせたが、エンジン回転数が低まった場合には、全体目盛画像１２ｂは画像上方向にスクロールさせられる。さらに、図６に示す例では、スクロール方向が画像下方向であり主目盛の画像１２ｅがエリアＥの下側に出てしまったため、併記される数値画像１２ｈの値が加算されたが、スクロール方向が画像上方向でありエリアＥの上側に出てしまった場合には、併記される数値画像１２ｈの値が減算される。
【００４５】
図７は、本実施形態に係る数値画像１２ｈａ〜１２ｈｃの変更の様子を示すグラフである。なお、図７において縦軸は各数値画像１２ｈａ〜１２ｈｃの値を示しており、横軸はエンジン回転数（指針画像１２ｃにより指し示されるエンジン回転数）を示している。
【００４６】
図７に示すように、指針画像１２ｃにより指し示されるエンジン回転数が２５００ｒｐｍ未満である場合、第１数値画像１２ｈａの値は「１」となり、第２数値画像１２ｈｂの値は「２」となり、第１数値画像１２ｈｃの値は「３」となる。また、エンジン回転数が２５００ｒｐｍ以上３５００ｒｐｍ未満である場合、第１数値画像１２ｈａの値は「４」となり、第２数値画像１２ｈｂの値は「２」となり、第１数値画像１２ｈｃの値は「３」となる。
【００４７】
さらに、エンジン回転数が３５００ｒｐｍ以上４５００ｒｐｍ未満である場合、第１数値画像１２ｈａの値は「４」となり、第２数値画像１２ｈｂの値は「５」となり、第１数値画像１２ｈｃの値は「３」となる。さらには、エンジン回転数が４５００ｒｐｍ以上５５００ｒｐｍ未満である場合、第１数値画像１２ｈａの値は「４」となり、第２数値画像１２ｈｂの値は「５」となり、第１数値画像１２ｈｃの値は「６」となる。
【００４８】
加えて、エンジン回転数が５５００ｒｐｍ以上６５００ｒｐｍ未満である場合、第１数値画像１２ｈａの値は「７」となり、第２数値画像１２ｈｂの値は「５」となり、第１数値画像１２ｈｃの値は「６」となる。また、エンジン回転数が６５００ｒｐｍ以上である場合、第１数値画像１２ｈａの値は「７」となり、第２数値画像１２ｈｂの値は「８」となり、第１数値画像１２ｈｃの値は「６」となる。
【００４９】
次に、本実施形態に係る車両用表示装置による目盛移動型計器の表示方法を、フローチャートを参照して説明する。図８は、本実施形態に係る目盛移動型計器の表示方法を示すフローチャートである。
【００５０】
図８に示すように、ＣＰＵ１は、まず全体目盛画像１２ｂを生成する旨の命令コードを作成する（Ｓ１）。これにより、図４に示すような複数の目盛セット画像１２ｇからなる全体目盛画像１２ｂが生成されることとなる。また、全体目盛画像１２ｂの主目盛の画像１２ｅには数値画像１２ｈａ〜１２ｈｃが併記される。
【００５１】
次に、ＣＰＵ１は、数値画像１２ｈａ〜１２ｈｃが併記された全体目盛画像１２ｂに対してマスク画像Ｍを重ね合わせる旨の命令コードを作成する（Ｓ２）。なお、本実施形態においてマスク画像Ｍには外枠画像１２ａ、指針画像１２ｃ及び文字画像が含まれており、この重ね合わせによって図３に示すようなエンジン回転数計の表示が可能となる。
【００５２】
次いで、ＣＰＵ１は、ステップＳ１，Ｓ２にて作成した命令コードを送信する（Ｓ３）。これにより、グラフィックコントローラ６は、メモリ６１内に記憶される画像データを用いて描画処理を行い、表示器８に目盛移動型計器としてのエンジン回転数計を表示させる。
【００５３】
次に、ＣＰＵ１は、エンジン回転数の信号を入力したかを判断する（Ｓ４）。エンジン回転数の信号を入力していないと判断した場合（Ｓ４：ＮＯ）、入力したと判断されるまで、この処理が繰り返される。
【００５４】
一方、エンジン回転数の信号を入力したと判断した場合（Ｓ４：ＹＥＳ）、ＣＰＵ１は、エンジン回転数に応じたスクロール処理を行う旨の命令コードを作成する（Ｓ５）。このとき、ＣＰＵ１は、図６に示すように、エリアＥ外となった目盛の画像１２ｅ’，１２ｆ’を空き領域Ｏに移動させる命令コードについても作成する。さらに、ＣＰＵ１は、空き領域Ｏに移動させられた主目盛の画像１２ｅ’について、数値画像１２ｈａ〜１２ｃの値を加算又は減算する命令コードについても作成する。
【００５５】
次いで、ＣＰＵ１は、ステップＳ５にて作成した命令コードを送信する（Ｓ６）。これにより、グラフィックコントローラ６は、全体目盛画像１２ｂをスクロールさせ、目盛移動型計器として機能させる。
【００５６】
その後、ＣＰＵ１は、イグニッションスイッチがオフされたかを判断する（Ｓ７）。オフされていないと判断した場合（Ｓ７：ＮＯ）、処理はステップＳ４に移行する。一方、オフされたと判断した場合（Ｓ７：ＹＥＳ）、図８に示す処理は終了する。
【００５７】
このようにして、第１実施形態に係る車両用表示装置によれば、１つの主目盛の画像１２ｅに対して複数個の補助目盛の画像１２ｆからなる目盛セット画像１２ｇを複数配列した全体目盛画像１２ｂを生成し、指針画像１２ｃに対して全体目盛画像１２ｂをスクロールさせる。このため、最小値から最大値まで至る大画像の目盛画像に対してスクロール処理を行う必要が無く、目盛セット画像１２ｇを複数配列した全体目盛画像１２ｂをスクロールさせればよいため、処理負荷を軽減することができる。
【００５８】
さらに、スクロール後における全体目盛画像１２ｂのうち予め設定されたエリアＥ外となる各目盛の画像１２ｅ’，１２ｆ’をスクロール反対側のエリアＥ内の空き領域Ｏに移動させる。このため、全体目盛画像１２ｂをスクロールさせることによってエリアＥから外れてしまった目盛については、外れた側と反対側となる空き領域Ｏに移動させられることとなり、目盛を途切れることなく表示させることができる。
【００５９】
しかも、空き領域Ｏに移動させられた主目盛については全体目盛画像１２ｂの目盛セット画像１２ｇ数に応じた数だけスクロール方向に応じて加算又は減算された数値画像１２ｈａ〜１２ｈｃを併記する。このため、空き領域Ｏに移動させられ主目盛の画像１２ｅに併記される数値画像１２ｈａ〜１２ｈｃが示す数値についても、誤った値とならない。
【００６０】
以上のように、目盛移動型計器の画像表示において目盛の途切れや数値画像１２ｈａ〜１２ｈｃの誤りがなく、しかも大画像となる目盛画像をスクロール処理させないため、目盛移動型計器を表示するにあたり、その処理負荷を軽減することができる。
【００６１】
また、目盛移動型計器を区画する外枠外の画像をマスクするマスク画像Ｍを記憶しているため、目盛移動型計器の外枠外に目盛画像１２ｅ，１２ｆや数値画像１２ｈａ〜１２ｈｃが表示されることがない。しかも、エリアＥの所定方向の端部が外枠外に位置するため、空き領域Ｏへ移動させられた目盛画像１２ｅ，１２ｆや数値画像１２ｈａ〜１２ｈｃ、すなわちエリアＥの所定方向の端部付近に移動させられた目盛画像１２ｅ，１２ｆや数値画像１２ｈａ〜１２ｈｃは、まずはマスク画像Ｍにマスクされた状態となっており、その後外枠内に移動することにより滑らかに外枠内に表示されることとなる。従って、目盛画像１２ｅ，１２ｆ及び数値画像１２ｈａ〜１２ｈｃの外枠内への出現を滑らかに行うことができる。
【００６２】
次に、本発明の第２実施形態を説明する。第２実施形態に係る車両用表示装置は、第１実施形態のものと同様であるが、構成及び処理内容が一部異なっている。以下、第１実施形態との相違点について説明する。
【００６３】
図９は、第２実施形態において第２の表示領域１２に表示されるエンジン回転数計の詳細を示す概念図である。第２実施形態においてメモリ９は、図９に示すように、グラデーションマスク画像ＧＭを更に記憶している。グラデーションマスク画像ＧＭは、外枠画像１２ａが示す外枠内において画像縦方向（所定方向）の端部側に向かうに従って不透明度が高くなる画像である。このグラデーションマスク画像ＧＭについても、例えばイグニッションスイッチのオン時に読み込まれてグラフィックコントローラ６のメモリ６１に記憶される。
【００６４】
図１０は、比較例に係るエンジン回転数計の一部を示す拡大図である。グラデーションマスク画像ＧＭを有しない場合、図１０に示すように、外枠画像１２ａによって主目盛の画像１２ｅや数値画像１２ｈｂ（１２ｈａ，１２ｈｃ）が途切れて表示されてしまうことがある。また、図１０において図示していないが、補助目盛の画像１２ｆについても途切れて表示されてしまうことがある。このような場合、車両搭乗員は違和感を受けてしまうことがある。
【００６５】
図１１は、第２実施形態に係るエンジン回転数計を示す正面図であり、図１２は、第２実施形態に係るエンジン回転数計の一部を示す拡大図である。第２実施形態においてＣＰＵ１は、全体目盛画像１２ｂ及びマスク画像Ｍに対して、グラデーションマスク画像ＧＭを重ね合わせる命令コードを生成してグラフィックコントローラ６に送信する。このため、図１１に示すように、外枠画像１２ａが示す外枠の端部側に位置する主目盛及び補助目盛の画像１２ｅ’’，１２ｆ’’並びに数値画像１２ｈｂ，１２ｈｃが薄く表示される。また、図１２に示すように、例えば図１０にて途切れて表示されていた主目盛の画像１２ｅや数値画像１２ｈｂ（１２ｈａ，１２ｈｃ）は、表示されていない。すなわち、外枠付近においてグラデーションマスク画像ＧＭの不透明度は「１（最大値）」となっており、外枠に接する目盛の画像１２ｅ，１２ｆや数値画像１２ｈａ〜１２ｈｃは表示されない。このため、図１０のような途切れた表示がされず、違和感の少ない表示を行うことができる。
【００６６】
なお、第２実施形態に係る目盛移動型計器の表示方法については、図８に示したステップＳ２において、さらにグラデーションマスク画像ＧＭを重ね合わせる旨の命令コードが作成される点が異なるのみであるため、図示を省略する。
【００６７】
このようにして、第２実施形態に係る車両用表示装置によれば、第１実施形態と同様に、目盛移動型計器を表示するにあたり、その処理負荷を軽減することができ、目盛画像１２ｅ，１２ｆ及び数値画像１２ｈａ〜１２ｈｃの外枠内への出現を滑らかに行うことができる。
【００６８】
さらに、第２実施形態によれば、外枠内において所定方向の端部側に向かうに従って不透明度が高くなるグラデーションマスク画像ＧＭを記憶し、全体目盛画像１２ｂに対してグラデーションマスク画像ＧＭを重ね合わせる。このため、外枠内に表示される目盛画像１２ｅ，１２ｆのうち、外枠内の端部側の目盛画像１２ｅ’’，１２ｆ’’や数値画像１２ｈａ〜１２ｈｃについては、薄く表示されることとなる。これにより、目盛画像１２ｅ’’，１２ｆ’’や数値画像１２ｈａ〜１２ｈｃが外枠によって途切れるように表示され難くなり、一層違和感が少ない表示を行うことができる。
【００６９】
以上、実施形態に基づき本発明を説明したが、本発明は上記実施形態に限られるものではなく、本発明の趣旨を逸脱しない範囲で、変更を加えてもよい。
【００７０】
例えば、本実施形態に係る車両用表示装置は、エンジン回転数計を目盛移動型計器とする例を説明したが、これに限らず、例えば燃料計など他の計器を目盛移動型計器としてもよい。さらに、上記実施形態において全体目盛画像１２ｂは画像縦方向にスクロールするものであったが、画像横方向など他の方向にスクロールさせてもよい。
【符号の説明】
【００７１】
１          ：ＣＰＵ（表示制御手段）
２          ：Ｉ／Ｏ
３          ：Ｉ／Ｏ
４          ：ＣＰＵ電源
５          ：ＥＥＰＲＯＭ
６          ：グラフィックコントローラ
７          ：ＬＣＤ電源
８          ：表示器（液晶ディスプレイ）
９          ：メモリ（記憶手段）
１１        ：第１の表示領域
１１ａ      ：外枠画像
１１ｂ      ：目盛画像
１１ｃ      ：指針画像
１２        ：第２の表示領域
１２ａ      ：外枠画像
１２ｂ      ：全体目盛画像
１２ｃ      ：指針画像
１２ｅ      ：主目盛の画像
１２ｆ      ：補助目盛の画像
１２ｇ      ：目盛セット画像
１２ｈ，１２ｈａ〜１２ｈｃ      ：数値画像
１３        ：第３の表示領域
１３ａ      ：外枠画像
１３ｂ      ：目盛画像
１３ｃ      ：指針画像
６１        ：メモリ
８１        ：Ｘドライバ
８２        ：Ｙドライバ
８３        ：本体部
Ｅ          ：エリア
ＧＭ        ：グラデーションマスク画像
Ｍ          ：マスク画像
Ｏ          ：空き領域
【図１】
2016080386.tif 000003
【図２】
2016080386.tif 000004
【図３】
2016080386.tif 000005
【図４】
2016080386.tif 000006
【図５】
2016080386.tif 000007
【図６】
2016080386.tif 000008
【図７】
2016080386.tif 000009
【図８】
2016080386.tif 000010
【図１３】
2016080386.tif 000011
【図９】
2016080386.tif 000012
【図１０】
2016080386.tif 000013
【図１１】
2016080386.tif 000014
【図１２】
2016080386.tif 000015